(57)【要約】【課題】着脱が容易な連結具を提供する。【解決手段】被着体に取り付けられるベース面２１Ａを有するベース部２１と、このベース部２１に設けられたフック部３６と、このフック部３６またはベース部２１に取り付けられたスライド部材４０とを備える。フック部３６は、開口３８を有し、スライド部材４０は、ベース部２１のベース面２１Ａに沿ってスライド動作可能で、かつ、弾性部材５０によってフック部３６に向かって付勢されているとともに、スライド動作によってフック部３６の開口３８を開閉する。【選択図】図６
0003157928.tif 000002
【実用新案登録請求の範囲】
【請求項１】
被着体に取り付けられるベース面２１Ａを有するベース部２１と、このベース部２１に設けられたフック部３６と、このフック部３６または前記ベース部２１に取り付けられたスライド部材４０とを備え、
前記フック部３６は、開口３８を有し、
前記スライド部材４０は、前記ベース部２１のベース面２１Ａに沿ってスライド動作可能で、かつ、弾性部材５０によって前記フック部３６に向かって付勢されているとともに、前記スライド動作によって前記フック部３６の開口３８を開閉する、
ことを特徴とする連結具。  
【請求項２】
ベース部材２０に対してフック部材３０が取り付けられ、前記ベース部材２０には前記ベース部２１が形成され、前記フック部材３０には前記ベース部２１のベース面２１Ａとは反対側に前記開口３８を有する前記フック部３６が形成され、
前記スライド部材４０には、前記フック部材３０を前記スライド動作方向のガイドとする一対のフランジ４２およびこのフランジ４２の間であって前記スライド動作方向へ延びるガイド突起４３が設けられ、
前記フック部材３０には、弾性部材収納空間３２、この弾性部材収納空間３２に連通し前記スライド動作方向に沿って開口する弾性部材収納用開口３３およびガイド突起収納用開口３４が形成され、
前記弾性部材５０は、前記弾性部材収納用開口３３の前記スライド動作方向寸法よりも短く、かつ、前記ガイド突起収納用開口３４の前記スライド動作方向寸法よりも長い寸法に形成され、前記弾性部材収納空間３２内に収納された状態で前記ガイド突起４３に係合される、
ことを特徴とする請求項１に記載の連結具。
【請求項３】
前記ガイド突起４３は、起立部４４と、この起立部４４から前記スライド動作方向に突出する弾性部材支持突起４５と、前記起立部４４に対して前記弾性部材支持突起４５とは反対側から前記スライド動作方向へ突出した当接部４６とを有し、
前記スライド部材４０が前記弾性部材５０によって前記フック部３６に向かって付勢された状態において、前記ガイド突起収納用開口３４は、前記当接部４６の先端よりも前記スライド動作方向でかつ前記弾性部材支持突起４５方向へずれて形成されている、
ことを特徴とする請求項２に記載の連結具。
【請求項４】
前記スライド部材４０は、前記ベース部２１とは反対側に操作部４８を有し、
前記操作部４８は、前記スライド部材４０によって開閉される前記フック部３６の開口３８よりも、前記ベース部２１側に凹んで形成されている、
ことを特徴とする請求項１〜請求項３のいずれかに記載の連結具。
【請求項５】
前記フック部３６の開口端３６Ａおよび前記フック部３６の開口３８を開閉する前記スライド部材４０の開閉端４７Ａは、内側から外側に向かうに従ってフック部３６先端に向かって傾斜する傾斜面に形成されている、
ことを特徴とする請求項１〜請求項４のいずれかに記載の連結具。
【考案の詳細な説明】
【技術分野】
【０００１】
本考案は、リング部を有する雌部材などを着脱可能に連結するための連結具に関する。例えば、前開きコートの前身頃などを留めるために用いられるバックルにおいて、雌部材を着脱可能に連結するための連結具に関する。
【背景技術】
【０００２】
例えば、前開きコートの前身頃などを留めるために、いわゆる、ファイアーマンバックルと称されるバックルが用いられている。
従来、この種のバックルは、一方の前身頃に取り付けられるリング部を有する雌部材と、他方の前身頃に取り付けられ雌部材のリング部を引っ掛けて連結するフック部を有する雄部材とから構成されている。
【０００３】
雌部材は、例えば、Ｄ字形状のリング部と、このリング部の直線辺から延長され前身頃に取り付けられる被着部とから構成されている。
雄部材は、例えば、特許文献１に示されるように、一部に開口を有するフック部を備えた雄部材本体と、一端が雄部材本体に揺動可能に支持され他端がフック部の先端に接触して開口を閉じるとともに、フック部の内側へ離間可能な開閉片と、この開閉片の他端がフック部の先端に接触するように開閉片を回動付勢するスプリングとから構成されている。
【先行技術文献】
【特許文献】
【０００４】
【特許文献１】中華民国特許公報第２００２７９号
【考案の概要】
【考案が解決しようとする課題】
【０００５】
特許文献１に示される構造の雄部材の場合、雄部材から雌部材を外す際、指の先（爪）で雄部材の開閉片の他端をフック部の内側へ押して、開閉片の他端をフック部の先端から離間させ、その隙間から雌部材のリング部をフック部から外す必要がある。
ところが、フック部の開口が狭く、その狭い隙間に指の先（爪）を差し込んで、スプリングの付勢力に抗して開閉片を押し込まなければならないため、雄部材の開閉片の他端を押し込みづらく、操作性が悪いだけでなく、指の先（爪）が傷つきやすい。
【０００６】
本考案の目的は、このような従来の課題を解決し、着脱が容易な連結具を提供することにある。
【課題を解決するための手段】
【０００７】
本考案の連結具は、被着体に取り付けられるベース面を有するベース部と、このベース部に設けられたフック部と、このフック部または前記ベース部に取り付けられたスライド部材とを備え、前記フック部は、開口を有し、前記スライド部材は、前記ベース部のベース面に沿ってスライド動作可能で、かつ、弾性部材によって前記フック部に向かって付勢されているとともに、前記スライド動作によって前記フック部の開口を開閉する、ことを特徴とする。
【０００８】
このような構成によれば、スライド部材をベース部のベース面に沿ってスライド動作させると、フック部の開口が開かれるから、フック部に対して連結される被連結具、例えば、リング部を有する雌部材をフック部内に挿入したのち、スライド部材から指を離す。すると、スライド部材は弾性部材の付勢力によってフック部に向かってスライド動作されるため、フック部の開口が閉じられる。これにより、被連結具が連結具に連結される。また、被連結具をフック部から外すには、スライド部材をベース部のベース面に沿ってスライド動作させ、フック部の開口を開く。この状態において、フック部から被連結具を外す。
従って、本考案では、スライド部材をスライド動作させれば、被連結具の着脱ができるため、従来の構造に比べ、着脱を容易かつ安全に行うことができる。
【０００９】
本考案の連結具は、ベース部材に対してフック部材が取り付けられ、前記ベース部材には前記ベース部が形成され、前記フック部材には前記ベース部のベース面とは反対側に前記開口を有する前記フック部が形成され、前記スライド部材には、前記フック部材を前記スライド動作方向のガイドとする一対のフランジおよびこのフランジの間であって前記スライド動作方向へ延びるガイド突起が設けられ、前記フック部材には、弾性部材収納空間、この弾性部材収納空間に連通し前記スライド動作方向に沿って開口する弾性部材収納用開口およびガイド突起収納用開口が形成され、前記弾性部材は、前記弾性部材収納用開口の前記スライド動作方向寸法よりも短く、かつ、前記ガイド突起収納用開口の前記スライド動作方向寸法よりも長い寸法に形成され、前記弾性部材収納空間内に収納された状態で前記ガイド突起に係合される、ことが好ましい。
【００１０】
このような構成によれば、ベース部材に対してフック部材を取り付け、このフック部材に対してスライド部材をスライド動作可能に取り付けることにより構成できる。
この際、フック部材には、弾性部材収納空間、この弾性部材収納空間に連通しスライド動作方向に沿って開口する弾性部材収納用開口およびガイド突起収納用開口が形成されているとともに、弾性部材は、弾性部材収納用開口のスライド動作方向寸法よりも短く形成されているから、弾性部材を弾性部材収納用開口から弾性部材収納空間内に容易に収納させることができる。
また、弾性部材は、弾性部材収納空間内に収納された状態において、ガイド突起に係合されているとともに、ガイド突起収納用開口のスライド動作方向寸法よりも長い寸法に形成されているから、弾性部材がガイド突起収納用開口から飛び出るのを防止できる。
【００１１】
本考案の連結具において、前記ガイド突起は、起立部と、この起立部から前記スライド動作方向に突出する弾性部材支持突起と、前記起立部に対して前記弾性部材支持突起とは反対側から前記スライド動作方向へ突出した当接部とを有し、前記スライド部材が前記弾性部材によって前記フック部に向かって付勢された状態において、前記ガイド突起収納用開口は、前記当接部の先端よりも前記スライド動作方向でかつ前記弾性部材支持突起方向へずれて形成されている、ことが好ましい。
【００１２】
このような構成によれば、ガイド突起は、起立部からスライド動作方向に突出する弾性部材支持突起と、起立部に対して弾性部材支持突起とは反対側からスライド動作方向へ突出した当接部とを有し、スライド部材が弾性部材によってフック部に向かって付勢された状態において、ガイド突起収納用開口は、当接部の先端よりもスライド動作方向でかつ弾性部材支持突起方向へずれて形成されているから、つまり、この状態において、スライド部材をベース部から離れる方向へ引き抜こうとしても、ガイド突起が弾性部材収納空間の壁に阻止されるから、スライド部材が外れるのが防止される。
【００１３】
本考案の連結具において、前記スライド部材は、前記ベース部とは反対側に操作部を有し、前記操作部は、前記スライド部材によって開閉される前記フック部の開口よりも、前記ベース部側に凹んで形成されている、ことが好ましい。
このような構成によれば、スライド部材をスライド動作させる際に指を載せる操作部が、フック部の開口よりも、ベース部側に凹んで形成されているから、ベース部から操作部までの厚み寸法を薄くでき、操作部に指を載せて操作する際の安定性を確保できる。
【００１４】
本考案の連結具において、前記フック部の開口端および前記フック部の開口を開閉するスライド部材の開閉端は、内側から外側に向かうに従ってフック部先端に向かって傾斜する傾斜面に形成されている、ことが好ましい。
このような構成によれば、フック部の開口端およびこの開口を開閉する前記スライド部材の開閉端は、内側から外側に向かうに従ってフック部先端に向かって傾斜する傾斜面に形成されているから、フック部に係止される被連結具が動いてフック部の開口端やスライド部材の開閉端にぶつかっても、これらが簡単に開放されるのを防止できる。
【図面の簡単な説明】
【００１５】
【図１】本考案の連結具を用いた実施形態（バックル）の使用状態を示す図。
【図２】同上実施形態の雄部材を示す斜視図。
【図３】同上実施形態の雄部材を示す分解斜視図。
【図４】同上実施形態の雄部材を示す分解断面図。
【図５】同上実施形態の雄部材の組立状態を示す断面図。
【図６】同上実施形態の雄部材の動作状態（開放状態）を示す断面図。
【図７】図５のVII−VII線断面図。
【考案を実施するための形態】
【００１６】
以下、本考案の実施形態を図面に基づいて説明する。
＜バックルの構造説明＞
図１は、本考案の連結具を雄部材として用いたバックルの使用状態を示す図である。本実施形態のバックルは、前開きコートの一方の前身頃１に取り付けられる雌部材Ａと、他方の前身頃２に取り付けられ雌部材Ａを引っ掛けて連結する連結具としての雄部材Ｂとから構成されている。
【００１７】
雌部材Ａは、例えば、Ｄ字形状のリング部１１と、このリング部１１の直線辺から直角に延長され被着体としてのコートの一方の前身頃１に取り付けられる被着部１２とから構成されている。
雄部材Ｂは、図２〜図４に示すように、被着体としてのコートの他方の前身頃２にリベットなどの止着具３を介して取り付けられるベース部材２０と、このベース部材２０に取り付けられたフック部材３０と、このフック部材３０に対してスライド動作可能に設けられたスライド部材４０と、このスライド部材４０を付勢する弾性部材５０とから構成されている。
【００１８】
ベース部材２０は、被着体としてのコートの他方の前身頃２に取り付けられるベース面２１Ａを有する三角板状のベース部２１と、このベース部２１の上面中央に突出形成された隆起部２４とを備える。ベース部２１には、それぞれの角部にリベット挿通孔２２が形成されているとともに、隆起部２４の長手方向両端側に隆起部２４を挟んでボス係合孔２３がそれぞれ形成されている。リベット挿通孔２２および前身頃２の生地を貫通してリベットなどの止着具３が挿通され、前身頃２の裏面側において止着具３が加締められることにより、ベース部材２０が前身頃２に固定される。隆起部２４は、断面四角形の直方体形状に形成されている。
【００１９】
フック部材３０は、ベース部材２０のベース部２１に取り付けられるガイド部３１と、このガイド部３１の長手方向一端に一体的に形成されたフック部３６とを備える。
ガイド部３１には、内部に弾性部材収納空間３２が形成されているとともに、下面に弾性部材収納空間３２に連通する弾性部材収納用開口３３が、また、上面に弾性部材収納空間３２に連通するガイド突起収納用開口３４がそれぞれ開口されている。これら弾性部材収納用開口３３およびガイド突起収納用開口３４は、幅寸法に対してスライド部材４０のスライド方向寸法（長さ寸法）が長い長方形に形成されている。具体的には、弾性部材収納用開口３３は、幅寸法および長さ寸法が弾性部材収納空間３２の幅寸法および長さ寸法と同じで、かつ、ベース部材２０の隆起部２４が嵌合する大きさに形成されている。また、ガイド突起収納用開口３４は、幅寸法および長さ寸法が弾性部材収納空間３２の幅寸法および長さ寸法よりも小さい形状に形成され、かつ、弾性部材収納空間３２に対してスライド部材４０のスライド動作方向前後端よりも内側位置に形成されている。
なお、ガイド部３１の下面には、弾性部材収納用開口３３を挟む位置にボス部３５が突出形成されている。このボス部３５がベース部材２０のボス係合孔２３に挿入され加締められることにより、フック部材３０がベース部材２０に一体的に組み付けられる。
【００２０】
フック部３６は、ガイド部３１の長手方向一端からスライド動作前方へ延長された延長部３７と、この延長部３７の先端から上方へ鉤形（三角形状）に折曲されたのちスライド動作方向後方へ延長され先端に開口３８を有する鉤部３９とを有している。従って、フック部３６は、ベース部２１のベース面２１Ａとは反対側に開口３８を有している。鉤部３９の先端折曲部は直角または鋭角となるように折曲され、そのため、フック部３６の鉤部３９は正面から見て略「く」の字形状に形成されている。
【００２１】
スライド部材４０は、フック部材３０のガイド部３１をガイドとしてベース部２１のベース面２１Ａに沿ってスライド動作可能に設けられたスライド部材本体４１と、このスライド部材本体４１の長手方向一端から延長されフック部３６の開口３８を開閉する開閉片部４７と、スライド部材本体４１の上面、つまり、ベース部２１とは反対側に形成された操作部４８とを備え、弾性部材５０によってフック部３６に向かって付勢されている。
【００２２】
スライド部材本体４１には、幅方向両側にフック部材３０のガイド部３１を両側から挟む一対のフランジ４２が形成されているとともに、このフランジ４２の間にスライド動作方向へ延びるガイド突起４３が設けられている。ガイド突起４３は、スライド部材本体４１から下方へ起立した起立部４４と、この起立部４４からスライド動作方向に突出する弾性部材支持突起４５と、起立部４４に対して弾性部材支持突起４５とは反対側からスライド動作方向へ突出した当接部４６とを有している。
【００２３】
ここで、ガイド突起収納用開口３４は、弾性部材支持突起４５および当接部４６の全長寸法よりも僅かに大きい寸法に形成されている。つまり、ガイド突起収納用開口３４は、ガイド突起４３を弾性部材収納空間３２内に挿入できる寸法に形成されているとともに、スライド部材４０が弾性部材５０によってフック部３６に向かって付勢された状態において、当接部４６の先端よりもスライド動作方向後方へずれて形成されている。このため、当接部４６の上方には弾性部材収納空間３２を形成する上壁３２Ａが残っているため、スライド部材４０がフック部材３０から外れるのが防止されている。
【００２４】
開閉片部４７は、スライド部材本体４１の長手方向一端から水平に延長されたのち、先端がフック部３６の開口端３６Ａに当接あるいは僅かの隙間を隔てて対向する形状に形成されている。ここで、フック部３６の開口端３６Ａおよびこの開口３８を開閉する開閉片部４７の開閉端４７Ａは、内側から外側に向かうに従ってフック部３６先端に向かって傾斜する傾斜面に形成されている。
【００２５】
操作部４８は、スライド部材４０によって開閉されるフック部３６の開口３８よりも、ベース部２１側に凹んで形成されている。具体的には、スライド部材４０の開閉端４７Ａとフック部３６の開口端３６Ａよりもベース部２１側に凹んで形成され、開閉片部４７の基端からスライド動作方向後方へ向かうに従ってベース部２１に次第に接近したのちベース部２１から次第に離れる円弧状の窪みに形成されている。操作部４８の上面には、スライド方向に対して交差（直交）する複数本の滑止突条４９が一定間隔で形成されている。
【００２６】
弾性部材５０は、コイルスプリング５１によって構成されている。コイルスプリング５１は、弾性部材収納用開口３３のスライド動作方向寸法よりも短く、かつ、ガイド突起収納用開口３４のスライド動作方向寸法よりも長い寸法に形成され、弾性部材収納空間３２内に収納された状態でガイド突起４３に係合される。
なお、コイルスプリング５１の径（幅寸法）と、弾性部材収納用開口３３の幅寸法と、ガイド突起収納用開口３４の幅寸法との関係は、
弾性部材収納用開口３３の幅寸法＞コイルスプリング５１の径（幅寸法）＞ガイド突起収納用開口３４の幅寸法
に設定されている。
【００２７】
＜組立方法の説明＞
図４に示す状態において、スライド部材４０のガイド突起４３をフック部材３０のガイド突起収納用開口３４から弾性部材収納空間３２内に挿入したのち、ガイド突起４３の弾性部材支持突起４５と弾性部材収納空間３２の後壁３２Ｂとの間に弾性部材５０を圧縮した状態で係止させる。
この際、弾性部材５０の長さ寸法は、弾性部材収納用開口３３のスライド動作方向寸法よりも短く形成され、また、弾性部材５０の幅寸法は、弾性部材収納用開口３３の幅寸法より小さく形成されているから、弾性部材５０を弾性部材収納用開口３３から弾性部材収納空間３２内に容易に収納させることができる。また、弾性部材５０は、弾性部材収納空間３２内に収納された状態において、ガイド突起４３に係合されているとともに、ガイド突起収納用開口３４のスライド動作方向寸法よりも長い寸法に形成され、また、幅寸法がガイド突起収納用開口３４の幅寸法よりも大きい寸法に形成されているから、弾性部材５０がガイド突起収納用開口３４から飛び出るのを防止できる。
【００２８】
この状態において、フック部材３０の弾性部材収納空間３２にベース部材２０の隆起部２４を嵌合させるとともに、フック部材３０のボス部３５をベース部材２０のボス係合孔２３に挿入して加締める。すると、ベース部材２０、フック部材３０およびスライド部材４０が一体化されるとともに、弾性部材５０の復元力によりスライド部材４０がフック部３６へ向かってスライド動作され、フック部３６の開口３８がスライド部材４０の開閉片部４７により閉じられる。
【００２９】
この状態、つまり、図５の状態においては、スライド部材４０がフック部３６へ向かって付勢され、ガイド突起４３の当接部４６が弾性部材収納空間３２の前壁３２Ｃに当接されている。この状態では、当接部４６の真上には弾性部材収納空間３２の上壁３２Ａが存在するため、スライド部材４０をベース部２１から離れる方向へ引き抜こうとしても、ガイド突起４３が弾性部材収納空間３２の上壁３２Ａに阻止されるから、スライド部材４０が外れるのが防止される。
このようにして雄部材Ｂを組み立てると、フック部材３０のガイド突起収納用開口３４は、スライド部材４０の下面と一対のフランジ４２によって外側から見えないように覆われ、また、弾性部材収納用開口３３は、ベース部２１によって覆われているから、指なども引っ掛かることがなく、意匠的にも優れている。この雄部材Ｂをリベットなどの止着具３を利用して被着体、ここでは、他方の前身頃２に取り付ける。
【００３０】
＜使用方法の説明＞
使用にあたっては、図５示す状態から、スライド部材４０の操作部４８に指をあてて、操作部４８をスライド動作させる。つまり、スライド部材４０を弾性部材５０の付勢力に抗してスライド動作方向後方（図５中右方向）へスライド動作させる。すると、図６に示すように、フック部３６の開口端３６Ａからスライド部材４０の開閉片部４７が離れるから、フック部３６の開口３８が開かれる。
このとき、操作部４８とフック部３６の開口３８とが離れているから、指がフック部３６に触れることがないため、指の損傷を防げる。また、指を載せる操作部４８が、フック部３６の開口３８よりも、ベース部２１側に凹んで形成されているから、ベース部２１から操作部４８までの厚み寸法を薄くでき、操作部４８に指を載せて操作する際の安定性を確保できる。
【００３１】
この状態において、フック部３６の開口３８、つまり、フック部３６の開口端３６Ａと開閉片部４７の開閉端４７Ａとの隙間から雌部材Ａのリング部１１を挿入したのち、操作部４８から指を離すと、スライド部材４０は弾性部材５０の付勢力によってフック部３６に向かってスライド動作されるため、フック部３６の開口３８が塞がれる（図５の状態になる）。これにより、雌部材Ａのリング部１１が雄部材Ｂのフック部３６に連結される。
このとき、フック部３６の開口端３６Ａおよびこの開口３８を開閉するスライド部材４０の開閉端４７Ａは、内側から外側に向かうに従ってフック部３６先端に向かって傾斜する傾斜面に形成されているから、フック部３６に係止される雌部材Ａのリング部１１が動いてリング部１１がフック部３６の開口端３６Ａやスライド部材４０の開閉端４７Ａにぶつかっても、これらが簡単に開放されるのを防止できる。
【００３２】
また、雌部材Ａをフック部３６から外すには、スライド部材４０をベース部２１のベース面２１Ａに沿ってスライド動作させ、フック部３６の開口３８を開く。この状態において、フック部３６から雌部材Ａのリング部１１を外す。
従って、本実施形態では、スライド部材４０をスライド動作させれば、雌部材Ａの着脱ができるため、従来の構造に比べ、着脱操作を容易かつ安全に行うことができる。
【００３３】
＜変形例＞
なお、本考案は、前述の実施形態に限定されるものではなく、本考案の目的を達成できる範囲での変形、改良等は本考案に含まれる。
前記実施形態では、ベース部２１を有するベース部材２０と、フック部３６を有するフック部材３０とを別部材として構成し、これらを一体的に組み付けて構成したが、これに限られない。例えば、１つの部材に、ベース部２１とフック部３６とを一体的に構成してもよい。
【００３４】
また、前記実施形態では、スライド部材４０をフック部材３０に対してスライド動作可能に構成したが、これに限らず、ベース部材２０に対してスライド部材４０をスライド動作可能に構成してもよい。
【００３５】
なお、ベース部材２０、フック部材３０およびスライド部材４０の材質については、特に問わない。例えば、金属のほかに、ある程度の剛性を有する合成樹脂などであってもよい。
【産業上の利用可能性】
【００３６】
本考案は、コートなど衣料品において開閉可能な部分を着脱可能に連結する際に利用できるほか、紐やベルトなどをループ状にした被連結具を着脱可能に連結する連結具としても利用することができる。
【符号の説明】
【００３７】
２…前身頃（被着体）、２０…ベース部材、２１…ベース部、３０…フック部材、３２…弾性部材収納空間、３３…弾性部材収納用開口、３４…ガイド突起収納用開口、３６…フック部、３６Ａ…開口端、３８…開口、４０…スライド部材、４２…フランジ、４３…ガイド突起、４４…起立部、４５…弾性部材支持突起、４６…当接部、４７…開閉片部、４８…操作部、５０…弾性部材、Ａ…雌部材、Ｂ…雄部材。
【図１】
0003157928.tif 000003
【図２】
0003157928.tif 000004
【図３】
0003157928.tif 000005
【図４】
0003157928.tif 000006
【図５】
0003157928.tif 000007
【図６】
0003157928.tif 000008
【図７】
0003157928.tif 000009